(57)【要約】      （修正有）【課題】環状温風放出板で暖かい空気を下方に向け、シロッコファンにより周囲に広く環状放出で暖かい空気を布団内に放出できる寝具用温風こたつを得る。【解決手段】  本体が正方形の格子枠体となり、その格子枠体の内部に、略正方体で表面に多数の通気孔があき側面の一辺に電源スイッチと温度調節ツマミが付くヒーターケースを設け、ヒーターケースの外上部中央のモーター冷却ファンを設けたモーターをモーターケースで覆い、モーターの下部となるヒーターケースの内部に一辺を折曲した円盤の縁を曲成した環状温風放出板を取り付け、環状温風放出板の下部でシロッコファンをモーターと軸着して回動出来るようにし、ヒーターケースの下部にヒーター設置板を設け、ヒーター設置板にハロゲンヒーターを取り付けている。【選択図】  図２
2006317138.tif 000002
【特許請求の範囲】
【請求項１】
本体が正方形の格子枠体となり、その格子枠体の内部に、略正方体で表面に多数の通気孔があき側面の一辺に電源スイッチと温度調節ツマミが付くヒーターケースを設け、ヒーターケースの外上部中央のモーター冷却ファンを設けたモーターをモーターケースで覆い、モーターの下部となるヒーターケースの内部に一辺を折曲した円盤の縁を曲成した環状温風放出板を取り付け、環状温風放出板の下部でシロッコファンをモーターと軸着して回動出来るようにし、ヒーターケースの下部にヒーター設置板を設け、ヒーター設置板にハロゲンヒーターを取り付けたことを特徴とする寝具用温風こたつ。
【請求項２】
前記ハロゲンヒーターから即暖放熱となり、上昇した放熱が環状温風放出板に集中し、その環状温風放出板の暖かい空気を下方に向け、シロッコファンにより周囲に広く環状放出で暖かい空気を布団内に放出できる請求項１記載の寝具用温風こたつ。
【請求項３】
前記ハロゲンヒーターが任意形状となる請求項１、２記載の寝具用温風こたつ。
【請求項４】
ヒーターとして、石英管又はカーボンヒーターも使用でき任意形状となる請求項１、２記載の寝具用温風こたつ。
【請求項５】
前記ハロゲンヒーターとモーター並びに環状温風放出板に異常加熱安全装置を設け、異常時には装置が起動し自動停止となる請求項１、２、３、４記載の寝具用温風こたつ。
【発明の詳細な説明】
【技術分野】
【０００１】    この発明は、寝具用温風こたつに関する。
【背景技術】
【０００２】    従来、寝具用として豆炭アンカや湯たんぼ、電気毛布等があるが、こたつは室内での採暖器具として使用されている。
【特許文献１】      特願平６−１８８２６８  特開平８−５４１４７
【特許文献２】      特願平７−２８１１７    特開平８−２１９５５２
【発明の開示】
【発明が解決しようとする課題】
【０００３】    従来、就寝時の寝具布団の採暖では、豆炭アンカや湯たんぽ、電気毛布等を用いているが、豆炭アンカや湯たんぽ等は、その自然放熱であり放熱範囲は狭く、電気毛布は掛式又は敷式があり、人体の正面か背面かいづれかの採暖しかできないことと、掛布団と敷布団との中空間全体に暖かさが届かない問題があった。【０００４】    本発明は、本体が正方形の格子枠体を形成し、その内部に略正方体で多数の通気孔があき側面の一辺に電源操作装置が付くヒーターケースを設け、ヒーターケースの外上部中央にモーター取り付け、ヒーターケースの内部に一辺を折曲した円盤の縁を曲成した環状温風放出板を取り付け、その下部でシロッコファンをモーターと軸着して回動出来るようにし、その下部にヒーター設置板を設けてハロゲンヒーターを取り付け、ハロゲンヒーターから上昇した放熱が環状温風放出板に集中し、その環状温風放出板の暖かい空気を下方に向け、シロッコファンにより周囲に広く環状で暖かい空気を放出できる寝具用温風こたつの提供を目的とするものである。
【課題を解決するための手段】
【０００５】    前記の課題を達成するため、体が正方形の格子枠体となり、その格子枠体の内部に、略正方体で表面に多数の通気孔があき側面の一辺に電源スイッチと温度調節ツマミが付くヒーターケースを設け、ヒーターケースの外上部中央のモーター冷却ファンを設けたモーターをモーターケースで覆い、モーターの下部となるヒーターケースの内部に一辺を折曲した円盤の縁を曲成した環状温風放出板を取り付け、環状温風放出板の下部でシロッコファンをモーターと軸着して回動出来るようにし、ヒーターケースの下部にヒーター設置板を設け、ヒーター設置板にハロゲンヒーターを取り付けた手段を講ずる。【０００６】    また、ハロゲンヒーターから即暖放熱となり、上昇した放熱が環状温風放出板に集中し、その環状温風放出板の暖かい空気を下方に向け、シロッコファンにより周囲に広く環状放出で暖かい空気を布団内に放出できることが好ましい。【０００７】    また、ハロゲンヒーターを任意形状にしてもよい。【０００８】    そして、ヒーターとして、石英管又はカーボンヒーターも使用でき任意形状となるようにしてもよい。【００１０】    さらに、ハロゲンヒーターとモーター並びに環状温風放出板に異常加熱安全装置を設け、異常時には装置が起動し自動停止となることが好ましい。
【発明の効果】
【００１１】    従来の寝具用こたつ又はアンカでは、熱源となるヒーターからの自然放熱となり、掛布団と敷布団の中で熱せられた空気は上方に集中し、掛布団と敷布団との中空間全体に暖かさが届かないものであったが、本発明の寝具用温風こたつでは、本体の格子枠体の内部に略正方体で多数の通気孔があき側面の一辺に電源操作装置が付くヒーターケースを設け、ヒーターケースの外上部中央にモーター取り付け、ヒーターケースの内部に円盤の縁を湾曲した温風円環放出板を取り付け、その下部でシロッコファンをモーターと軸着して回動出来るようにし、その下部にヒーター設置板を設けてハロゲンヒーターを取り付け、ハロゲンヒーターから上昇した放熱が環状温風放出板に集中し、その環状温風放出板の暖かい空気を下方に向け、シロッコファンにより周囲に広く環状で暖かい空気を放出できるものである。
【発明を実施するための最良の形態】
【００１２】    発明の実施の形態を実施例にもとづき図面を参照して説明する。
図１〜図２で示す実施例では、本体１が正方形の格子枠体２となり、その格子枠体２の内部に、略正方体で表面に多数の通気孔３があき側面の一辺に電源スイッチ４と温度調節ツマミ５が付くヒーターケース６を設け、ヒーターケース６の外上部中央にモーター冷却ファン７を設けたモーター８をモーターケース９で覆い、モーター８の下部となるヒーターケース６の内部に一辺を折曲した円盤の縁を曲成した環状温風放出板１０を取り付け、環状温風放出板１０の下部でシロッコファン１１をモーター８と軸着して回動出来るようにし、ヒーターケース６の下部にヒーター設置板１２を設け、ヒーター設置板１２にハロゲンヒーター１３を取り付けている。【００１４】    また、図３〜図４で示す実施例では、ハロゲンヒーター１３から即暖放熱となり、上昇した放熱が環状温風放出板１０に集中し、その環状温風放出板１０の暖かい空気を下方に向け、シロッコファン１１により周囲に広く環状放出で暖かい空気を布団内に放出できるようにしている。【００１５】    また、図５で示す実施例では、ハロゲンヒーター１１を任意形状にしてもよい。【００１６】    また、ヒーターとして、石英管又はカーボンヒーターも使用でき任意形状にしてもよい。【００１７】    そして、ハロゲンヒーター１３とモーター８並びに環状温風放出板１０に異常加熱安全装置を設け、異常時には装置が起動し自動停止となるようにしている。
【図面の簡単な説明】
【００１８】
【図１】  本発明の実施例を示す斜視図である。
【図２】  ヒーターケースの実施例を示す透視背面図である。
【図３】  ヒーターケースからの温風流出を示す透視背面図である。
【図４】  ヒーターケース内部の環状温風放出板の実施例を示す透視側面図である。
【図５】  ヒーター設置板に設ける任意形状のハロゲンヒーターの実施例を示す平面図である。
【図６】  本発明の実施例を示す回路図である。
【符号の説明】
【００１９】  １  本体
２  格子枠体
３  通気孔
４  電源スイッチ
５  温度調節ツマミ
６  ヒーターケース
７  モーター冷却ファン
８  モーター
９  モーターケース
１０  環状温風放出板
１１  シロッコファン
１２  ヒーター設置板
１３  ハロゲンヒーター
１４  電線
１５  スイッチ配置板
１６  ヒーターケース脚部
１７  ヒーターカバー
１８  任意形状のハロゲンヒーター
【図１】
2006317138.tif 000003
【図２】
2006317138.tif 000004
【図３】
2006317138.tif 000005
【図４】
2006317138.tif 000006
【図５】
2006317138.tif 000007
【図６】
2006317138.tif 000008